【事件の表示】
　平成　４年特許願第　１８１３８号「原稿画像読取装置及び該装置を搭載する画像情報処理装置」拒絶査定に対する審判事件［平成　５年　７月２３日出願公開、特開平　５−１８３６９１］について、次のとおり審決する。
【結　論】
　本件審判の請求は、成り立たない。
【理　由】
１．手続の経緯
　本願は、平成４年１月６日の出願であって、平成１３年４月１６日付けで手続補正がされ、平成１４年１０月１５日付けで拒絶査定がされ、これに対して、平成１４年１１月１８日付けで審判請求された後、平成１４年１２月１８日付けで手続補正がされたものである。
　
　
２．本願発明
　本願発明は、明細書及び図面の記載からみて、上記平成１４年１２月１８日付け手続補正書で手続補正された請求項１〜４に記載されたとおりのものであって、その請求項１に記載された発明は次のとおりのもの（以下、「本願発明１」という。）である。
「【請求項１】
　原稿の画像を光学的に読取る原稿読取手段と、
　前記原稿を前記原稿読取手段に密着させつつ搬送する為の、搬送ローラを備えた原稿搬送手段と、
　前記原稿読取手段に前記原稿を１枚づつ分離給送するための、分離片と給送ローラとを備えた自動給紙手段と、
　画像情報処理装置本体からの駆動力を前記原稿搬送手段及び前記自動給紙手段に伝達する為の駆動力伝達手段と、
　を、有する画像情報処理装置用の原稿画像読取装置において、
　前記原稿読取手段と前記原稿搬送手段と前記自動給紙手段と前記駆動力伝達手段とをフレームに一体的に設けてユニット化し、前記画像情報処理装置の本体フレームに対して分離独立して交換可能に構成されていることを特徴とする原稿画像読取装置。」
　
　
３．引用例
　これに対して、原審で引用した特開昭６４−１０７７１号公報（昭和６４年１月１３日公報発行、以下、「刊行物」という。）には、「ファクリシミリ装置」の発明に関し、図面とともに、以下の各記載がある。
　
（ア）「一端側に記録紙収納凹部を有し他端側に原稿案内壁を有する合成樹脂製の本体フレームと、この本体フレームに回転可能に支持されるプラテンローラと、このプラテンローラにサーマルヘッドを圧接させて上記本体フレームに装着される印字ユニットと、上記本体フレームの原稿案内壁に給紙ローラを対向させて上記本体フレームに装着される原稿読取りセンサユニットと、上記本体フレームの側面に装着され上記プラテンローラおよび給紙ローラを駆動する駆動機構ユニットとを具備してなることを特徴とするファクシミリ装置。」（特許請求の範囲）
　
（イ）「本発明は、一体成形された本体フレームに各部品を機能的にユニット化した各ユニットを相乗的に補強しつつかつ平行並列的に配列して取付け、装置の軽量化を図れ、かつ組立が容易なファクシミリ装置を提供することを目的とする。」（第１頁下右欄１２行〜１６行）
　
（ウ）「この本体フレーム１９は第９図に示すように前部に原稿案内壁２０を有し、（中略）上記原稿読取りセンサユニット２２は、第１０図に示すように密着型イメージセンサ２７、ロッドレンズ集合体２８、ＬＥＤ集合体２９、給紙ローラ３０、給紙ローラ軸３１、一方向クラッチ３２、給紙ローラ駆動ギア３３、スプリング３４、当接部材３５、センサハウジング３６等からなり、（中略）原稿案内壁２０の給紙ローラ３０と対応する部位には開口部３７が形成されている。この開口部３７内には弾性体からなる摩擦板３８が配置され、この摩擦板３８の摩擦抵抗により原稿を１枚ずつ給紙するようになっている。」（第２頁下左欄１９行〜第３頁上左欄２行）
　
（エ）「また、原稿読取りセンサユニット２２はセンサハウジング３６との間にスプリング３４を掛け渡し、スプリング３４のばね力により当接部材３５をホワイトローラ４４に当接させている。このホワイトローラ４４はその幅が最小原稿幅より狭くなっており、原稿案内壁２０の終端側に設けられた白色ガイド板４５の開口部４６内に配置されている。」（第３頁上左欄１５行〜上右欄２行）
　
（オ）「なお、ホワイトローラ４４のローラ軸５０には第１及び第２のホワイトローラ駆動ギア５１、５２および一方向クラッチ５３が取付けられている。」（第３頁上右欄１２行〜１４行）
　
　上記（ア）〜（オ）の記載によると、刊行物には、
「一体成形された本体フレームに各部品を機能的にユニット化した各ユニットを相乗的に補強しつつかつ平行並列的に配列して取付け、装置の軽量化を図れ、かつ組立が容易なファクシミリ装置を提供することを目的として、
　一端側に記録紙収納凹部を有し他端側に原稿案内壁を有し、該原稿案内壁２０の給紙ローラ３０と対応する部位に形成された開口部３７内に、摩擦抵抗により原稿を１枚ずつ給紙するようになっている摩擦板３８を配置し、原稿案内壁２０の終端側に設けられた白色ガイド板４５の開口部４６内にホワイトローラ４４、第１及び第２のホワイトローラ駆動ギア５１、５２および一方向クラッチ５３が取付けられたローラ軸５０が配置された、合成樹脂製の本体フレームと、
　この本体フレームに回転可能に支持されるプラテンローラと、
　このプラテンローラにサーマルヘッドを圧接させて本体フレームに装着される印字ユニットと、
　密着型イメージセンサ２７、ロッドレンズ集合体２８、ＬＥＤ集合体２９、給紙ローラ３０、給紙ローラ軸３１、一方向クラッチ３２、給紙ローラ駆動ギア３３、スプリング３４、当接部材３５、センサハウジング３６等からなり、本体フレームの原稿案内壁に給紙ローラを対向させて本体フレームに装着されると共に、当接部材３５をホワイトローラ４４に当接させる原稿読取りセンサユニットと、
　本体フレームの側面に装着されプラテンローラおよび給紙ローラを駆動する駆動機構ユニットと
　を具備してなることを特徴とするファクシミリ装置。」の発明（以下「刊行物記載の発明」という。）が記載されている。
　
　
４．対比・判断
　本願発明１と刊行物記載の発明とを対比すると、
　
（ａ）刊行物記載の発明は、密着型イメージセンサ２７、ロッドレンズ集合体２８、ＬＥＤ集合体２９等からなる原稿読取りセンサユニットを具備しているから、「原稿の画像を光学的に読取る原稿読取手段」を有している点で、本願発明１と相違しない。
　
（ｂ）刊行物記載の発明は、原稿案内壁２０の終端側に設けられた白色ガイド板４５の開口部４６内にホワイトローラ４４、第１及び第２のホワイトローラ駆動ギア５１、５２および一方向クラッチ５３が取付けられたローラ軸５０が配置された本体フレーム、並びに、ホワイトローラ４４に当接する当接部材３５を有する原稿読取りセンサユニットとを具備している。
　そして、該ホワイトローラが搬送ローラとしての機能を奏することは明らかであると共に、ホワイトローラ４４と原稿読取りセンサユニットの当接部材３５とが当接し、原稿はホワイトローラ４４と原稿読取りセンサユニットの当接部材３５との間を搬送されることから、原稿が原稿読取りセンサユニットの当接部材３５に密着された状態で搬送されることは明らかである。
　このため、「前記原稿を前記原稿読取手段に密着させつつ搬送する為の、搬送ローラを備えた原稿搬送手段」を有している点で、本願発明１と相違しない。
　
（ｃ）刊行物記載の発明は、給紙ローラ３０、給紙ローラ軸３１、一方向クラッチ３２、給紙ローラ駆動ギア３３、スプリング３４、当接部材３５等からなる原稿読取りセンサユニット、並びに、原稿案内壁２０の給紙ローラ３０と対応する部位に形成された開口部３７内に摩擦抵抗により原稿を１枚ずつ給紙するよう配置した摩擦板３８を具備しているから、「前記原稿読取手段に前記原稿を１枚づつ分離給送するための、分離片と給送ローラとを備えた自動給紙手段」を有している点で、本願発明１と相違しない。
　
（ｄ）刊行物記載の発明は、給紙ローラ３０、給紙ローラ軸３１、一方向クラッチ３２、給紙ローラ駆動ギア３３、スプリング３４、当接部材３５等からなる原稿読取りセンサユニット、並びに、原稿案内壁２０の終端側に設けられた白色ガイド板４５の開口部４６内にホワイトローラ４４、第１及び第２のホワイトローラ駆動ギア５１、５２および一方向クラッチ５３が取付けられたローラ軸５０が配置された本体フレームを具備している。
　そして、給紙ローラ軸３１、給紙ローラ駆動ギア３３、及び、ローラ軸５０、ホワイトローラ駆動ギア５１、５２は、駆動ユニットから伝達される駆動力を給紙ローラやホワイトローラに伝達するための部材であることは明らかである。
　このため、「画像情報処理装置本体からの駆動力」の点を除き、「駆動力を前記原稿搬送手段及び前記自動給紙手段に伝達する為の駆動力伝達手段」を有している点で、本願発明１と相違しない。
　
（ｅ）刊行物記載の発明はファクシミリ装置であり、本願明細書の【産業上の利用分野】の欄の「本発明は、原稿画像読取装置及び該装置を搭載する画像情報処理装置に係り、特に、ファクシミリ、イメージスキャナ等の画像情報処理装置に好適に用いられ、原稿の画像情報を光学的に読取る原稿画像読取装置及び該装置を搭載する画像情報処理装置に関する。」なる記載からみて、本願発明１の「画像情報処理装置用の原稿画像読取装置」はファクシミリ装置を包含するものであるから、刊行物記載の発明は「画像情報処理装置用の原稿画像読取装置」である点で、本願発明１と相違しない。
　
（ｆ）刊行物記載の発明は、密着型イメージセンサ２７、ロッドレンズ集合体２８、ＬＥＤ集合体２９、給紙ローラ３０、給紙ローラ軸３１、一方向クラッチ３２、給紙ローラ駆動ギア３３、スプリング３４、当接部材３５、センサハウジング３６等からなる原稿読取りセンサユニットを有し、本体フレームには摩擦板３８、ホワイトローラ４４、第１及び第２のホワイトローラ駆動ギア５１、５２および一方向クラッチ５３が取付けられたローラ軸５０が配置されているから、「前記原稿搬送手段と前記自動給紙手段と前記駆動力伝達手段とを」原稿読取手段ともフレームに一体的に設けてユニット化している点、及び、「前記画像情報処理装置の本体フレームに対して分離独立して交換可能に構成されている」点を除き、「前記原稿読取手段」「をフレームに一体的に設けてユニット化し」ている点で、本願発明１と相違しない。
　
　　したがって、本願発明１と刊行物記載の発明とは、
「原稿の画像を光学的に読取る原稿読取手段と、
　前記原稿を前記原稿読取手段に密着させつつ搬送する為の、搬送ローラを備えた原稿搬送手段と、
　前記原稿読取手段に前記原稿を１枚づつ分離給送するための、分離片と給送ローラとを備えた自動給紙手段と、
　駆動力を前記原稿搬送手段及び前記自動給紙手段に伝達する為の駆動力伝達手段と、
　を、有する画像情報処理装置用の原稿画像読取装置において、
　前記原稿読取手段をフレームに一体的に設けてユニット化したことを特徴とする原稿画像読取装置。」である点で一致し、次の点で相違する。
　
（相違点１）
　本願発明１は、駆動力伝達手段に伝達される駆動力が画像情報処理装置本体からの駆動力であるのに対して、刊行物記載の発明は、駆動機構ユニットからの駆動力である点。
　
（相違点２）
　本願発明１は、原稿読取手段と原稿搬送手段と自動給紙手段と駆動力伝達手段とをフレームに一体的に設けてユニット化し、画像情報処理装置の本体フレームに対して分離独立して交換可能に構成されているのに対して、刊行物記載の発明は、原稿搬送手段、自動給紙手段が備える分離片、及び、駆動力伝達手段が備える原稿搬送手段に駆動力を伝達する為の手段を、原稿読取手段とは異なる本体フレームにユニット化し、本体フレームにユニット化した手段は分離独立して交換可能に構成されていないと共に、原稿読取手段等が設けられたフレームについても画像情報処理装置の本体フレームに対して分離独立して交換可能に構成されているか否か明らかでない点。
　
　そこで、上記相違点について、以下で検討する。
　
　相違点１に関しては、刊行物記載の発明のごときファクシミリ装置において、原稿搬送手段及び自動給紙手段に伝達する駆動力を装置本体に配置したモータ等から発生し伝達する構成は当業者にとって周知・慣用な構成にすぎない。
　また、装置を構成する部材を１つのフレームに一体的に設けてユニット化することは周知・慣用な事項であって、その装置を構成する部材のうちのいずれの部材をユニット化するかは必要に応じて適宜選択し得る事項である。
　このため、刊行物記載の発明において、原稿搬送手段及び自動給紙手段を駆動する駆動力を発生するモータや該駆動力を原稿搬送手段及び自動給紙手段に伝達するギア等を装置本体に配置して、原稿搬送手段及び自動給紙手段に伝送される駆動力を画像情報処理装置本体からの駆動力となるように構成することは、当業者であれば格別の創意を要することなくなし得る事項である。
　
　相違点２に関しては、刊行物記載の発明は、原稿搬送手段、自動給紙手段が備える分離片、及び、駆動力伝達手段が備える原稿搬送手段に駆動手段を伝達する為の手段を具備している。
　そして、装置を構成する部材を１つのフレームに一体的に設けてユニット化することは周知・慣用な事項であって、その装置を構成する部材のうちのいずれの部材をユニット化するかは必要に応じて適宜選択し得る事項である。
　このため、刊行物記載の発明において、原稿搬送手段、自動給紙手段が備える分離片、及び、駆動力伝達手段が備える原稿搬送手段に駆動力を伝達する為の手段を、原稿読取手段等を一体的に設けてユニット化したフレームに一体的に設けてユニット化し、原稿読取手段と原稿搬送手段と自動給紙手段と駆動力伝達手段とをフレームに一体的に設けてユニット化する構成とすることは、当業者であれば格別の創意を要することなくなし得る事項である。
　また、複数の部材をフレームに一体的にユニット化したものを、装置の本体フレームに対して分離独立して交換可能とすることは、当業者にとって周知・慣用な事項であるから、刊行物記載の発明において、ユニット化したものを画像情報処理装置の本体フレームに対して分離独立して交換可能に構成することは、当業者であれば格別の創意を要することなくなし得る事項である。
　
　
５．むすび
　したがって、本願発明１は、刊行物記載の発明、及び、周知・慣用な事項に基づいて、当業者が容易に発明をすることができたものであり、特許法第２９条第２項の規定により特許を受けることができない。
　
　よって、結論のとおり審決する。